(57)【要約】  【課題】  容易に決められた位置に取り付けができると共に、十分な接着強度を有し脱落しにくい中空部材の端部キャップを提供する  【解決手段】  木粉とプラスチックの複合材からなり、長手方向の端面５１が開口する中空部材５０の前記端面５１と略同形状に構成された板状本体２と、前記板状本体２に立設され前記中空部材の中空部内に挿入される複数の突起部４とを備えた、前記開口を覆う端部キャップ１である。前記複数の突起部４は、前記中空部材の対向する内壁面５２ａに密着可能に設けられた薄板状に構成され、前記内壁面に対向する主面６に接着剤案内突起１１，１２を有する。【選択図】  図２
2015017417.tif 000002
【特許請求の範囲】
【請求項１】
木粉とプラスチックの複合材からなり、
長手方向の端面が開口する中空部材の前記端面と略同形状に構成された板状本体と、前記板状本体に立設され前記中空部材の中空部内に挿入される複数の突起部とを備えた、前記開口を覆う端部キャップであって、
前記複数の突起部は、前記中空部材の対向する内壁面に密着可能に設けられた薄板状に構成され、前記内壁面に対向する主面に接着剤案内突起を有することを特徴とする、端部キャップ。
【請求項２】
前記接着剤案内突起は、前記主面に複数設けられていることを特徴とする、請求項１に記載の端部キャップ。
【請求項３】
前記接着剤案内突起は、中空部材幅方向の長さにおいて、板状本体に対して遠位側が近位側よりも短く構成されていることを特徴とする、請求項２に記載の端部キャップ。
【請求項４】
前記突起部は、前記板状本体に近接した位置に水抜き孔が設けられ、前記水抜き孔が設けられている近傍位置の板状本体に周縁部まで伸びる水抜き溝が設けられていることを特徴とする、請求項１から３のいずれか１つに記載の端部キャップ。
【発明の詳細な説明】
【技術分野】
【０００１】
本発明は、長手方向の端面が開口する中空部材の開口を覆う端部キャップに関する。
【背景技術】
【０００２】
建築現場や工場などから排出される木材及びプラスチックを粉砕して加熱混合した材料を押出成形にて成形した中空部材が手すりやルーバー等の建設部材として使用されている。
【０００３】
上記中空部材が使用される建造物では、見栄えを良くするため、中空部材の端面を端部キャップで塞いで中空部が見えないようにすることが行われている。この端部キャップとしては、例えば、特許文献１（特開２０１２−１２７０６０号公報）等に開示されている。
【０００４】
この端部キャップは、特許文献１の図１及び図２に記載されているように、中空部材の端面に沿った形状で構成され、一部を厚み方向に切り欠いた段差部を有する板状体の裏面に、中空部材内に挿入されて位置決め又は脱落防止のための突起部が並設されている。施工時は、板状体の裏面の凹部及び仕切り壁の当接位置に接着剤を塗布し、中空部材の端面に板状体を貼着して接着剤が硬化するまで仮止めする。
【先行技術文献】
【特許文献】
【０００５】
【特許文献１】特開２０１２−１２７０６０号公報
【発明の概要】
【発明が解決しようとする課題】
【０００６】
しかし、上記構成の端部キャップでは、端部キャップと中空部材との接着部分は中空部材の端面のみであって、接着面の面積が小さく、また、接着剤が硬化するまで仮止めのためにテープなどで中空部材と端部キャップとを固定しておく必要がある。
【０００７】
また、突起部は、高さ寸法が中空部材の内腔の高さ寸法に合わせて形成されているため、部材の高さ方向の位置決めは容易であるが、幅方向の位置決めは難易度が高い。
【０００８】
したがって、本発明が解決しようとする技術的課題は、容易に決められた位置に取り付けができると共に、十分な接着強度を有し脱落しにくい中空部材の端部キャップを提供することである。
【課題を解決するための手段】
【０００９】
本発明は、上記技術的課題を解決するために、以下の構成の端部キャップを提供する。
【００１０】
本発明の第１態様によれば、木粉とプラスチックの複合材からなり、
長手方向の端面が開口する中空部材の前記端面と略同形状に構成された板状本体と、前記板状本体に立設され前記中空部材の中空部内に挿入される複数の突起部とを備えた、前記開口を覆う端部キャップであって、
前記複数の突起部は、前記中空部材の対向する内壁面に密着可能に設けられた薄板状に構成され、前記内壁面に対向する主面に接着剤案内突起を有することを特徴とする、端部キャップを提供する。
【００１１】
本発明の第２態様によれば、前記接着剤案内突起は、前記主面に複数設けられていることを特徴とする、第１態様の端部キャップを提供する。
【００１２】
本発明の第３態様によれば、前記接着剤案内突起は、中空部材幅方向の長さにおいて、板状本体に対して遠位側が近位側よりも短く構成されていることを特徴とする、第２態様の端部キャップを提供する。
【００１３】
本発明の第４態様によれば、前記突起部は、前記板状本体に近接した位置に水抜き孔が設けられ、前記水抜き孔が設けられている近傍位置の板状本体に周縁部まで伸びる水抜き溝が設けられていることを特徴とする、第１から第３態様のいずれか１つの端部キャップを提供する。
【発明の効果】
【００１４】
本発明によれば、板状本体に立設された突起部の主面に接着剤案内突起を設けることで、当該突起部の内壁面に対向する主面に接着剤を塗布して中空部材に端部キャップを取り付ける場合に主面に広く接着剤を行き渡らせることができる。このため、接着面積を大きくすることができ、さらに、突起部が中空部材の対向する内壁面に密着するため、中空部材への施工時にしっかりと固定することができ、仮止めが不要である。
【図面の簡単な説明】
【００１５】
【図１】本発明の実施形態にかかる端部キャップ及び当該端部キャップが使用される中空部材の斜視図である。
【図２】図１の端部キャップの他の方向から見た斜視図である。
【図３】図１の端部キャップの側面図である。
【図４】図１の端部キャップの平面図である。
【図５】図１の端部キャップの背面図である。
【図６】本発明の他の実施形態にかかる端部キャップの斜視図である。
【発明を実施するための形態】
【００１６】
以下、本発明の一実施形態に係る中空部材の端部キャップについて、図面を参照しながら説明する。なお、以下の説明では、端部キャップの板状本体の表裏に関して、中空部材の端面に接する面を「裏面」、その反対側の面を「表面」という。
【００１７】
図１は、本発明の実施形態にかかる中空部材の端部キャップの構成を示す斜視図である。図２は、図１の端部キャップの他の方向から見た斜視図である。
【００１８】
端部キャップ１は、木粉とプラスチックの複合材を射出成形により成形したものであって、中空部材５０の長手方向の開口する端面５１を被覆する略矩形状の板状本体２と、板状本体２の裏面３から突出し、中空部材５０の内腔５２に挿入される複数の突起部４とを備えている。
【００１９】
矩形状の断面を有する中空部材５０は、木粉とプラスチックの複合材を押出成形にて成形したものが用いられる。本実施形態においては、中空部材５０は、金属製の芯部材５３の表面に木粉とプラスチックの複合材を被覆した外装部５４から構成されており、金属製の芯部材５３を押出成形機に挿入して表面に外装部５４を被覆させることで製造される。なお、芯部材を構成する金属と外装部５４を構成する複合材との接着力を高めるため、両者間に接着層（図示なし）を設けてもよい。接着層は外装部５４の成形時に、例えば２色成形等の方法を用いることにより容易に製造することができる。
【００２０】
芯部材５３は、長手方向に延在する３枚の仕切り壁５５により、４つの内腔５２を画定している。芯部材を構成する金属としては、アルミニウム、スチール、ステンレスなど各種金属を用いることができるが、本実施形態では、高強度と軽量である点でアルミニウムが用いられている。
【００２１】
外装部５４は、端部キャップ１と同じ木粉とプラスチックの複合材が用いられている。木粉は木材を粒径数百μｍ程度にまで粉砕したものであり、プラスチックは、例えば、塩化ビニル樹脂、発泡塩化ビニル樹脂、ポリエチレン樹脂、ポリプロピレン樹脂、ＡＢＳ樹脂、ポリカーボネイト樹脂、ポリスチレン樹脂等の熱可塑性樹脂が用いられるが、中でも塩化ビニル樹脂、ポリエチレン樹脂、ポリプロピレン樹脂が好適である。また、木粉の添加量は、１０〜７０重量％程度、好ましくは１５重量％〜５０重量％、さらに好ましくは、２０〜４０重量％とすることができる。
【００２２】
板状本体２の裏面３に設けられている複数の突起部４は、裏面の上下位置に４組配置された薄板状に構成されている。それぞれの突起部の間は、芯部材５３の仕切り壁５５に対応して切り欠き５が設けられている。中央の間隙部分は板状本体のたわみ防止及び突起部４を補強する補強壁７が設けられている。
【００２３】
突起部４は、図３に示すように、中空部材５０の内腔５２の厚み方向に対向する内壁面間の間隔（すなわち、内腔５２の厚み方向寸法）とほぼ同じ又はわずかに長くなるような所定の間隔をもって配置されており、突起部４は中空部材５０に取り付けられたとき、若干たわむことによって中空部材５０の内腔５２の厚み方向に対向する内壁面５２ａに密着するように構成されている。このため、突起部４の内壁面５２ａに対する非対向面側には、施工時のたわみによる突起部４の破損を防止する補強部材８が設けられている。
【００２４】
突起部４の端縁には、内腔５２の内壁面側に凸になるように構成されたリブ９、１０が設けられている。リブ９，１０は、それぞれ板状本体２から遠位側の面９ａ，１０ａが傾斜面となる鋸歯状に構成されており、内腔５２に挿入しやすく脱落しにくいように構成されている。リブ９は厚み方向の内壁面５２ａに当接するように突起部の主面に対して直角方向に凸に構成されており、リブ１０は幅方向の内壁面５２ｂに当接するように突起部の主面に沿った方向に凸に構成されている。
【００２５】
また、突起部４の内壁面に対向する主面６は接着剤塗布面として機能し、中空部材５０と端部キャップ１との接着面となる。主面６には２つのリブ状の接着剤用ガイド１１，１２が設けられている。接着剤用ガイド１１，１２は、本発明の接着剤案内突起に相当するものであり、施工時に中空部材５０に挿入されたときに、接着剤をガイドの端方向へ押し出して、突起部４の主面６全体に広く案内するためのものである。板状本体２に対して遠位側の接着剤用ガイド１１は、近位側のガイド１２より中空部材幅方向の長さが短くなるように構成されており、矢印９０，９１に示すように、端部キャップ１の挿入に応じて主面６のより広い領域に接着剤を回り込ませることができる。なお、接着剤としては、接着させる材料に応じてより強い接着力を発揮できるものを用いることが好ましく、例えば、アクリル樹脂系のものなどが好適に使用される。
【００２６】
図２及び図４に示すように、一部の突起部４は、板状本体２に近接した位置に水抜き孔１３が設けられている。水抜き孔１３は、中空部材５０の内腔５２に溜まった水を外部に排出するためのものであり、突起部４の厚み方向に貫通している。本実施形態では、水抜き孔１３は、中央の２つの突起部４の端部にのみ設けられているが、すべての突起部に設けてもよく、また、突起部４の中央位置に設けてもよい。
【００２７】
また、板状本体２は、水抜き孔が設けられている近傍位置に、周縁部まで伸びる水抜き溝１４を有している。水抜き溝１４は、水抜き孔１３に連通しており、突起部４の水抜き孔１３を通って、突起部の主面側に流入した水を内腔５２の外部に排出する。
【００２８】
また、板状本体２には、補強壁７の側方から周縁まで横方向に伸びる横溝１５が設けられており、内腔５２と連通する間隙を形成して中空部材５０の側面側から水を排出する。
【００２９】
端部キャップ１は、前記の通り、射出成形によって製造されており、加熱溶融した材料を金型内に射出注入し、冷却固化させることによって成形品を得る。さらに、表面を木材のように装飾するため、板状本体２の表面側をサンドペーパー処理し、粗面とすることで木材のような外見となる。
【００３０】
端部キャップ１を中空部材５０に取り付けるには、端部キャップ１の突起部４の主面６先端側に接着剤を塗布し、突起部４を中空部材５０の内腔５２に挿入するようにして端部キャップ１を貼着する。このとき、主面６に設けられた接着剤は、中空部材の内壁面５２ａによって板状本体２側へ引き延ばされるが、主面６に設けられた２つの接着剤用ガイド１１，１２により、突起部４の横方向に送り込まれ、主面６に広く案内される。また、板状本体２に対して近位側の接着剤用ガイド１２は、中空部材幅方向の長さが長く構成されているため、当該ガイド１２の奥側に送り込まれる量を少なくすることができ、水抜き孔１３を接着剤で塞ぐことがないように構成されている。
【００３１】
また、上下に対になっている４つの突起部は、内腔５２の内壁面５２ａに密着するように構成されているため、端部キャップを中空部材にしっかりと固定することができ、接着剤が硬化するまで仮止めする必要がない。
【００３２】
以上説明したように、本実施形態にかかる端部キャップによれば、板状本体に立設された突起部の主面に接着剤用ガイド１１，１２を設けることで、当該突起部の内壁面に対向する主面に接着剤を塗布して中空部材に端部キャップを取り付ける場合に主面に広く接着剤を行き渡らせることができる。このため、接着面積を大きくすることができ、さらに、突起部が中空部材の対向する内壁面に密着するため、中空部材への施工時にしっかりと固定することができ、仮止めが不要である。
【００３３】
以上、本発明の実施の形態について説明してきたが、本発明は上記の実施の形態に記載の構成に限定されるものではなく、特許請求の範囲に記載されている事項の範囲内で考えられるその他の実施の形態や変形例も含むものである。例えば、上記実施の形態では、板状本体の形状を矩形としているが、中空部材の端面形状に応じた形状とすることができる。
【００３４】
また、図６に示すように、板状本体の形状に応じて、突起部の設置枚数などは適宜変更することができる。さらに、接着剤用ガイド１１，１２の形状及び設置個数などは適宜変更することが可能であり、たとえば、端部キャップの挿入時に端部側へ接着剤を送りやすくするために、くの字型に構成することも可能である。
【符号の説明】
【００３５】
１，２０  端部キャップ
２  板状本体
３  裏面
４  突起部
５  切り欠き
６  主面
７  補強壁
８  補強部材
９，１０  リブ
９ａ，１０ａ  遠位面
１１，１２  接着剤用ガイド（接着剤案内突起）
１３  水抜き孔
１４  水抜き溝
１５  横溝
５０  中空部材
５１  端面
５２  内腔
５２ａ，５２ｂ  内壁面
５３  芯部材
５４  外装部
５５  仕切り壁
【図１】
2015017417.tif 000003
【図２】
2015017417.tif 000004
【図３】
2015017417.tif 000005
【図４】
2015017417.tif 000006
【図５】
2015017417.tif 000007
【図６】
2015017417.tif 000008